(57)【特許請求の範囲】
【請求項１】
光ディスクを載置する載置面を備えて光ディスクドライブに出入り自在に設けられるトレイ本体と、
前記光ディスクに／から情報を記録／再生する光ピックアップ装置がアクセスできるように前記載置面に貫通されて形成されたウインドウと、
前記ウインドウにて前記光ディスクの回転により生じる渦を空間的に制限する渦制限手段とを含み、
前記渦制限手段は、前記ウインドウの縁部から内側に向けて突出された少なくとも１ヵ所以上の突出部を含み、
前記突出部は、前記ウインドウの両縁部に左右で互い違いに形成された
ことを特徴とする光ディスクドライブのディスクトレイ。
【請求項２】
前記突出部は、光ディスクの回転により生じる空気の流動により動く可撓性材質であることを特徴とする請求項１に記載の光ディスクドライブのディスクトレイ。
【請求項３】
前記突出部は、少なくとも１ヵ所以上の貫通ホールを備えたことを特徴とする請求項１または２に記載の光ディスクドライブのディスクトレイ。
【請求項４】
前記突出部の前記光ディスクと対向する表面にエンボス加工したことを特徴とする請求項１から３のいずれか１項に記載の光ディスクドライブのディスクトレイ。
【請求項５】
前記突出部の前記光ディスクと対向する表面に粗さを形成したことを特徴とする請求項１から３のいずれか１項に記載の光ディスクドライブのディスクトレイ。
【請求項６】
光ディスクを載置する載置面を備えて光ディスクドライブに出入り自在に設けられるトレイ本体と、
前記光ディスクに／から情報を記録／再生する光ピックアップ装置がアクセスできるように前記載置面に貫通されて形成されたウインドウと、
前記ウインドウにて前記光ディスクの回転により生じる渦を空間的に制限する渦制限手段とを含み、
前記渦制限手段は、前記ウインドウの縁部から内側に向けて突出された少なくとも１ヵ所以上の突出部を含み、
前記突出部は、光ディスクの回転により生じる空気の流動により動く可撓性材質である
ことを特徴とする光ディスクドライブのディスクトレイ。
【請求項７】
光ディスクを載置する載置面を備えて光ディスクドライブに出入り自在に設けられるトレイ本体と、
前記光ディスクに／から情報を記録／再生する光ピックアップ装置がアクセスできるように前記載置面に貫通されて形成されたウインドウと、
前記ウインドウにて前記光ディスクの回転により生じる渦を空間的に制限する渦制限手段とを含み、
前記渦制限手段は、前記ウインドウの縁部から内側に向けて突出された少なくとも１ヵ所以上の突出部を含み、
前記突出部は、少なくとも１ヵ所以上の貫通ホールを備えた
ことを特徴とする光ディスクドライブのディスクトレイ。
【請求項８】
光ディスクを載置する載置面を備えて光ディスクドライブに出入り自在に設けられるトレイ本体と、
前記光ディスクに／から情報を記録／再生する光ピックアップ装置がアクセスできるように前記載置面に貫通されて形成されたウインドウと、
前記ウインドウにて前記光ディスクの回転により生じる渦を空間的に制限する渦制限手段とを含み、
前記渦制限手段は、前記ウインドウの縁部から内側に向けて突出された少なくとも１ヵ所以上の突出部を含み、
前記突出部の前記光ディスクと対向する表面にエンボス加工した
ことを特徴とする光ディスクドライブのディスクトレイ。
【請求項９】
光ディスクを載置する載置面を備えて光ディスクドライブに出入り自在に設けられるトレイ本体と、
前記光ディスクに／から情報を記録／再生する光ピックアップ装置がアクセスできるように前記載置面に貫通されて形成されたウインドウと、
前記ウインドウにて前記光ディスクの回転により生じる渦を空間的に制限する渦制限手段とを含み、
前記渦制限手段は、前記ウインドウの縁部から内側に向けて突出された少なくとも１ヵ所以上の突出部を含み、
前記突出部の前記光ディスクと対向する表面に粗さを形成した
ことを特徴とする光ディスクドライブのディスクトレイ。
【請求項１０】
光ディスクを搭載してローディングまたはアンローディングするディスクトレイを含む光ディスクドライブにおいて、
光ディスクを載置する載置面を備えて光ディスクドライブに出入り自在に設けられるトレイ本体と、
前記光ディスクに／から情報を記録／再生する光ピックアップ装置がアクセスできるように前記載置面に貫通されて形成されたウインドウと、
前記ウインドウにて前記光ディスクの回転により生じる渦を空間的に制限する渦制限手段とを含み、
前記渦制限手段は、前記ウインドウの縁部から内側に向けて突出された少なくとも１ヵ所以上の突出部を含み、
前記突出部は、前記ウインドウの両縁部に左右で互い違いに形成された
ことを特徴とする光ディスクドライブ。
【請求項１１】
前記突出部は、光ディスクの回転により生じる空気の流動により動く可撓性材質であることを特徴とする請求項１０に記載の光ディスクドライブ。
【請求項１２】
前記突出部は、少なくとも１ヵ所以上の貫通ホールを備えたことを特徴とする請求項１０または１１に記載の光ディスクドライブ。
【請求項１３】
前記突出部の前記光ディスクと対向する表面にエンボス加工したことを特徴とする請求項１０から１２のいずれか１項に記載の光ディスクドライブ。
【請求項１４】
前記突出部の前記光ディスクと対向する表面に粗さを形成したことを特徴とする請求項１０から１２のいずれか１項に記載の光ディスクドライブ。
【請求項１５】
光ディスクを搭載してローディングまたはアンローディングするディスクトレイを含む光ディスクドライブにおいて、
光ディスクを載置する載置面を備えて光ディスクドライブに出入り自在に設けられるトレイ本体と、
前記光ディスクに／から情報を記録／再生する光ピックアップ装置がアクセスできるように前記載置面に貫通されて形成されたウインドウと、
前記ウインドウにて前記光ディスクの回転により生じる渦を空間的に制限する渦制限手段とを含み、
前記渦制限手段は、前記ウインドウの縁部から内側に向けて突出された少なくとも１ヵ所以上の突出部を含み、
前記突出部は、光ディスクの回転により生じる空気の流動により動く可撓性材質である
ことを特徴とする光ディスクドライブ。
【請求項１６】
光ディスクを搭載してローディングまたはアンローディングするディスクトレイを含む光ディスクドライブにおいて、
光ディスクを載置する載置面を備えて光ディスクドライブに出入り自在に設けられるトレイ本体と、
前記光ディスクに／から情報を記録／再生する光ピックアップ装置がアクセスできるように前記載置面に貫通されて形成されたウインドウと、
前記ウインドウにて前記光ディスクの回転により生じる渦を空間的に制限する渦制限手段とを含み、
前記渦制限手段は、前記ウインドウの縁部から内側に向けて突出された少なくとも１ヵ所以上の突出部を含み、
前記突出部は、少なくとも１ヵ所以上の貫通ホールを備えた
ことを特徴とする光ディスクドライブ。
【請求項１７】
光ディスクを搭載してローディングまたはアンローディングするディスクトレイを含む光ディスクドライブにおいて、
光ディスクを載置する載置面を備えて光ディスクドライブに出入り自在に設けられるトレイ本体と、
前記光ディスクに／から情報を記録／再生する光ピックアップ装置がアクセスできるように前記載置面に貫通されて形成されたウインドウと、
前記ウインドウにて前記光ディスクの回転により生じる渦を空間的に制限する渦制限手段とを含み、
前記渦制限手段は、前記ウインドウの縁部から内側に向けて突出された少なくとも１ヵ所以上の突出部を含み、
前記突出部の前記光ディスクと対向する表面にエンボス加工した
ことを特徴とする光ディスクドライブ。
【請求項１８】
光ディスクを搭載してローディングまたはアンローディングするディスクトレイを含む光ディスクドライブにおいて、
光ディスクを載置する載置面を備えて光ディスクドライブに出入り自在に設けられるトレイ本体と、
前記光ディスクに／から情報を記録／再生する光ピックアップ装置がアクセスできるように前記載置面に貫通されて形成されたウインドウと、
前記ウインドウにて前記光ディスクの回転により生じる渦を空間的に制限する渦制限手段とを含み、
前記渦制限手段は、前記ウインドウの縁部から内側に向けて突出された少なくとも１ヵ所以上の突出部を含み、
前記突出部の前記光ディスクと対向する表面に粗さを形成した
ことを特徴とする光ディスクドライブ。
【発明の詳細な説明】
【０００１】
【発明の属する技術分野】
本発明は光ディスクドライブのディスクトレイに係り、特に光ディスクの回転時に生じる振動及び騷音を減らすディスクトレイに関する。
【０００２】
【従来の技術】
一般的に光ディスクドライブは、光ディスクに同心状のトラックよりなる記録面に／から情報を記録／再生する装置であり、線速度一定方式で回転する光ディスクの記録面に光ディスクの半径方向に摺動する光ピックアップ装置からビームを放射してデータを記録／再生する装置を言う。
【０００３】
かかる光ディスクドライブには一般的に光ディスクを搭載してローディングするディスクトレイが設けられており、このディスクトレイには回転する前記光ディスクに／から情報を記録／再生する光ピックアップ装置がアクセスできるように貫通されて形成されたウインドウが備わっている。
【０００４】
光ディスクドライブにて光ディスクの記録面に収録されたデータを正確に再生したりまたは光ディスクにデータを正確に記録するためには、光ピックアップ装置から出射されたビームが光ディスクの記録面のトラックに正確に入射させねばならず、光ディスクの記録面とアクチュエータから出射されるビームの光軸とが常に一定の角度を保持していなければならない。
【０００５】
しかし、高速で回転する光ディスクと空気との摩擦、空気の抵抗、高速乱流流動などにより生じる騷音及び振動は光ディスクドライブの記録、再生特性を劣化させる要因になる。
【０００６】
かかる問題点を解消するために提案されたものとして、特許文献１と特許文献２とがあるが、図１Ａは特許文献１に開示された従来の光ディスクドライブの騷音低減装置を示したものであり、図１Ｂは図１Ａの構成により速度勾配が除去される現象を示したものである。
【０００７】
図１Ａ及び図１Ｂに示したように、ディスクトレイ１００の載置面１０１には、光ディスク１９０をターンテーブル（図示せず）に載置して載置面１０１から浮いた状態で高速回転する時に光ディスク１９０の下方に生じる境界層内部で空気の速度勾配を除去するように多数のブレード１１０が備わっている。
【０００８】
前記ブレード１１０は、その断面が図１Ｂに示したように光ディスク１９０の回転方向１８０に対して４５゜の角度に上向き傾斜するようにディスクトレイ１００の載置面１０１に形成され、多数のブレード１１０が図１Ａに示したように光ディスク１９０の半径方向に延びて設けられている。
【０００９】
光ディスク１９０が高速回転すれば境界層内部では光ディスク１９０の下面１９１からディスクトレイ１００の載置面１０１へと次第に大きくなる速度勾配１５０が形成される。ここに、図１Ｂに示したようにブレード１１０を設ければ、気流がブレード１１０の傾斜面を通過しつつ光ディスク１９０の下面１９１で生じる境界層の速度勾配を除去し、窮極的には気流が光ディスク１９０の下面１９１からディスクトレイ１００の載置面１０１に向けて均一な速度１６０を有するようになる。従って、境界層内部で形成された速度勾配による騷音を減らせる。
【００１０】
しかし、かような従来の光ディスクドライブの騷音低減装置はディスクトレイに開口部がない平板の場合を仮定している。すなわち、光ピックアップ装置（図示せず）が光ディスク１９０の記録面にアクセスできるようにディスクトレイ１００に設けられたウインドウ１７０の影響を排除している。
【００１１】
光ディスクの高速回転により生じる振動及び騷音は回転する光ディスク面と空気との摩擦による空気流動に起因し、空気の速度勾配及び圧力勾配が大きいほど激しい騷音及び振動が生じる。このため、ウインドウ１７０部分は空気の速度及び圧力変化が最も大きい部分である。
【００１２】
図２は一般的なディスクトレイのウインドウ部分にて生じる渦現象を示したものである。
図示したように、光ディスクが参照符号１８０方向に回転すれば、矢印２３０で表示するようにウインドウ２１０を通じて載置面２０１と光ディスク１９０間に空気が流入する。それにより、光ディスクの下面１９１からディスクトレイ２００の載置面２０１方向に次第に増加するとともに、光ディスク１９０の半径方向に沿って外側に次第に増す空気の速度勾配２２０が生じる。これにより、ウインドウ２１０全体にわたって大きな渦２４０が形成されてウインドウ２１０の左右領域２５０，２６０での圧力とウインドウ２１０での圧力とに大きな違いを示す。この圧力差により光ディスク１９０の振動が引き起こされる。
【００１３】
また、載置面２０１とウインドウ２１０との境界付近で騷音が生じる。
【００１４】
従って、光ディスクドライブの騷音及び振動を減らすためにはウインドウ部分で生じる渦及び圧力勾配を除去するか減らす必要がある。
【００１５】
【特許文献１】
韓国特許出願第１９９８−００１３８７３号
【特許文献２】
韓国特許出願第１９９８−００３０７４０号
【００１６】
【発明が解決しようとする課題】
本発明は上述した必要性を勘案して創出されたものであり、ディスクトレイのウインドウ部分で生じる騷音及び振動を減らせる光ディスクドライブのディスクトレイ及びこれを採用した光ディスクドライブを提供するところにその目的がある。
【００１７】
【課題を解決するための手段】
上述した目的を達成するための本発明の光ディスクドライブのディスクトレイは、光ディスクを載置する載置面を備えて光ディスクドライブに出入自在に設けられるトレイ本体と、前記光ディスクに／から情報を記録／再生する光ピックアップ装置に対してアクセスできるように前記トレイ本体に貫通されて形成されたウインドウと、前記ウインドウにて前記光ディスクの回転により生じる渦を空間的に制限する渦制限手段とを含むことを特徴とする。
【００１８】
また、本発明の光ディスクドライブは、光ディスクを搭載してローディングまたはアンローディングするディスクトレイを含む光ディスクドライブであり、前記ディスクトレイは、光ディスクを載置する載置面を備えて光ディスクドライブに出入自在に設けられるトレイ本体と、前記光ディスクに／から情報を記録／再生する光ピックアップ装置がアクセスできるように前記トレイ本体に貫通されて形成されたウインドウと、前記ウインドウにて前記光ディスクの回転により生じる渦を空間的に制限する渦制限手段とを含むことを特徴とする。
【００１９】
ここで、前記渦制限手段は、前記ウインドウの縁部から内側に向けて突出された少なくとも１ヵ所以上の突出部を含む。
【００２０】
前記突出部の形成方法においては、前記ウインドウの一側縁部に形成したり、前記ウインドウの両縁部にて左右対称になるように形成するか、または左右で互い違いに形成することも可能である。また、前記突出部は光ディスクの回転により生じる空気の流動により動く可撓性材質としても可能であり、前記突出部の表面に貫通ホール、粗さ、エンボスを形成することも可能である。
【００２１】
【発明の実施の形態】
以下、添付した図面を参照しつつ本発明の望ましい実施形態を詳細に説明する。
図３Ａは本発明による光ディスクドライブのディスクトレイの第１実施形態を示したものであり、図３Ｂは図３Ａの構成による渦形成の様子を示したものである。
【００２２】
図３Ａと図３Ｂとに示すように、本発明によるディスクトレイ３００は、光ディスクドライブ３９０に出入自在に設けられるトレイ本体３０１と、この本体３０１に形成されて光ディスク１９０を載置する載置面３０２とを備えている。また、トレイ本体３０１には光ディスク１９０に／から情報を記録／再生する光ピックアップ装置（図示せず）がアクセスできるように載置面３０２を貫通して形成されたウインドウ３１０が備わっている。
【００２３】
ウインドウ３１０は光ディスク１９０の中心から光ピックアップ装置（図示せず）の摺動方向に形成され、一般的にトレイ本体３０１が光ディスクドライブ装置に出入する方向に形成される。
【００２４】
ここに、渦制限手段として、多数の突出部３２０がウインドウ３１０の両縁部３１１から内側にて左右対称になるように突設されている。本実施形態では左右それぞれ３つずつの突出部３２０を形成したが、必要により１つまたはそれ以上の突出部３２０を形成できる。
【００２５】
前記突出部３２０を形成するにあたり、光ピックアップ装置（図示せず）が光ディスク１９０の半径方向に往復摺動しつつ光ディスク１９０の記録面にアクセスできる空間を確保せねばならない。
【００２６】
前述の如く突出部３２０を形成すれば、ウインドウ３１０付近で生じる渦が多数の小さな渦に分割されたり、または互いに連結されているとしても突出部３２０により空間的な制限を受けて一つの大きな渦が形成されずに突出部３２０を除く残りのウインドウ３１０内の空間に拘束される。
【００２７】
すなわち、従来には図２に示したような空気の速度勾配２２０によりウインドウ２１０の全体大きさに該当する大きな渦２４０が形成されていたが、本発明による突出部３２０により空間的な制限を受けて図３Ｂに示したように多数の小さな渦３５０に分割されたり制限された渦に形成される。それにより、小さなエネルギーを有する多数の渦３５０または突出部３２０により空間的に制限されて形成された渦によりウインドウ３１０部分の圧力が、突出部３２０がない場合の大きな渦２４０により生じた圧力より低くなる。
【００２８】
従って、３０３及び３０４部分の圧力とウインドウ３１０部分の圧力との差が小さくなり、圧力の急激な変化による光ディスクの振動と圧力衝撃とによる騷音を減らせる。
【００２９】
図４Ａは本発明による光ディスクドライブのディスクトレイの第２実施形態を示したものである。
図示するように、ディスクトレイ４００のウインドウ３１０には両縁部３１１に沿って左右で互い違いに突出部３２０が形成されている。この時、渦は４５０のように突出部３２０の位置に依存して多数の小さな渦に分割されたり、突出部３２０の位置により空間的な制限を受ける。
【００３０】
それにより、小さなエネルギーを有する多数の渦４５０または空間的に制限された渦によりウインドウ３１０部分の圧力が、突出部３２０がない場合の大きな渦２４０により生じた圧力より低くなる。従って、４０３及び４０４部分の圧力とウインドウ３１０部分の圧力との差が小さくなって圧力の急激な変化による光ディスクの振動と圧力衝撃とによる騷音を減らせる。
【００３１】
図４Ｂは本発明による光ディスクドライブのディスクトレイの第３実施形態を示したものである。
図示するように、ウインドウ３１０には左側縁部３１１に沿って突出部３２０が形成されている。
【００３２】
かかる構成により前述の如く、渦は４６０のように突出部３２０の位置に依存して多数の小さな渦に分割されたり突出部３２０の位置により空間的な制限を受けるようになる。図面に示していないが、突出部３２０はウインドウ３１０の右側縁部３１１に形成することも可能である。
【００３３】
図５は本発明による光ディスクドライブのディスクトレイの第４実施形態を示したものである。
図示するように、各突出部３２０に貫通ホール５１０が形成されて前記貫通ホール５１０を通じてディスクトレイ５００の上下面に空気の流入または流出が可能である。本実施形態では各突出部３２０に一つの貫通ホール５１０が形成されているが、２つ以上の貫通ホール５１０を形成することも可能であり、貫通ホール５１０の大きさもまた実験により振動及び騷音を減らすのに適するように決められる。
【００３４】
かような構成によれば、ディスクトレイ５００の上下面に存在する圧力勾配が貫通ホール５１０を通じて緩和される効果が得られる。すなわち、貫通ホール５１０を通じてディスクトレイ５００の上下面に空気が流入または流出されることによりディスクトレイ５００の載置面３０２と下面との圧力差が小さくなる。
【００３５】
特に、本発明のようにウインドウ３１０に形成された突出部３２０に貫通ホール５１０を形成することにより、５０３の方からウインドウ３１０に進入する気流及びウインドウ３１０から５０４の方に抜け出る気流と、ウインドウ３１０に流れる気流との圧力差を緩和することにより強い渦の形成を防止してこれによる振動低減効果を得られる。
【００３６】
ひいては、前記突出部３２０の表面に数十ないし数百μｍほどの粗さを与えたり、エンボス加工ができる。
【００３７】
前記粗さにより光ディスク１９０の下面１９１からディスクトレイ３００，４００，５００の載置面３０２方向に次第に増加する速度勾配を緩和させてウインドウ３１０に進入する前に境界層の流動が剥離する現象を防止したり遅延させることができ、ウインドウ３１０に進入する時に生じる渦のエネルギーを低くして弱い渦が形成されるようにできる。
【００３８】
また、前記エンボスはエアクッションの役割を果たすので、速度勾配及び圧力勾配により生じる光ディスク１９０の振動を吸収してディスクトレイ３００，４００，５００の載置面３０２と境界層内の空気との摩擦を小さくして騷音を減らせる。
【００３９】
従って、突出部３２０の表面に粗さまたはエンボスを形成することにより光ディスクの振動及び騷音を減らせる。
【００４０】
本発明の他の実施形態として、前記突出部３２０を光ディスク１９０の回転により生じる空気の流動により動く可撓性材質により形成することも可能である。
【００４１】
かかる可撓性材質を使用する場合、コンプライアントウォール効果により突出部３２０の上面で生じる剥離現象による抵抗であるドラッグを減らせる。すなわち、光ディスク１９０の高速回転により生じた気流がディスクトレイ３００，４００，５００の載置面３０２と摩擦しつつ剥離現象が生じるのであるが、前述の如く可撓性材質を使用する場合には可撓性材質の表面が気流により形成された境界層と相互作用しつつ境界層を保持させて剥離を遅延させることにより剥離現象により生じるドラッグを減らす。ドラッグは光ディスクの回転を妨害する方向に形成される抵抗力であり、かかるドラッグを減らすことにより光ディスクを駆動するモータのエネルギー消費を減らせる。
【００４２】
図６Ａないし図６Ｇは突出部の平面形状の多様な実施形態を示したものであり、３２０ａないし３２０ｇと示されたように突出部は長方形、台形、三角形、円形など多様な形状に形成できる。
【００４３】
図７Ａないし図７Ｄは突出部の側面形状の多様な実施形態を示したものであり、３２０ｈ、３２０ｊ、３２０ｋ、３２０ｍに示したように載置面３０２と同じ高さに、載置面３０２より高く、または載置面３０２より低くでき、載置面３０２から下方傾斜させることも可能である。
【００４４】
前述の如く突出部３２０を形成するにあたり、突出部３２０はディスクトレイ３００，４００，５００と一体に形成することも可能であり、別途の部品より形成してディスクトレイ３００，４００，５００に結合することも可能である。また、突出部３２０の平面及び断面形状は図６Ａ乃至図７Ｄに示したものに限定されない。従って、振動及び騷音の低減程度を考慮して実験的に多様な形状の突出部を多様な形態に配列することが可能である。
【００４５】
【発明の効果】
前述の如く本発明によれば、次のような効果を得られる。
第一に、ディスクトレイのウインドウに多数の小さくて弱い渦を生じさせてウインドウ近くでの圧力変化を緩和させることにより振動及び騷音を防止できる。
第二に、振動及び騷音が減ることにより光ピックアップの精度が向上して高倍速、高密度記録及び再生が可能である。
【００４６】
本発明は上記説明して図面に例示したものにより限定されず、請求の範囲内でさらに多くの変形及び変更例が可能であることはもちろんである。
【図面の簡単な説明】
【図１Ａ】  従来の光ディスクドライブの騷音低減装置を示した斜視図である。
【図１Ｂ】  図１Ａの構成により速度勾配が除去される現象を示した模式図である。
【図２】  ディスクトレイのウインドウ部分で生じる渦現象を示した斜視図である。
【図３Ａ】  本発明による光ディスクドライブのディスクトレイの第１実施形態を示した斜視図である。
【図３Ｂ】  図３Ａの構成による渦形成の様子を示した斜視図である。
【図４Ａ】  本発明による光ディスクドライブのディスクトレイの第２実施形態を示した斜視図である。
【図４Ｂ】  本発明による光ディスクドライブのディスクトレイの第３実施形態を示した斜視図である。
【図５】  本発明による光ディスクドライブのディスクトレイの第４実施形態を示した斜視図である。
【図６Ａ】  本発明による突出部の平面形状の多様な実施形態を示した平面図である。
【図６Ｂ】  本発明による突出部の平面形状の多様な実施形態を示した平面図である。
【図６Ｃ】  本発明による突出部の平面形状の多様な実施形態を示した平面図である。
【図６Ｄ】  本発明による突出部の平面形状の多様な実施形態を示した平面図である。
【図６Ｅ】  本発明による突出部の平面形状の多様な実施形態を示した平面図である。
【図６Ｆ】  本発明による突出部の平面形状の多様な実施形態を示した平面図である。
【図６Ｇ】  本発明による突出部の平面形状の多様な実施形態を示した平面図である。
【図７Ａ】  本発明による突出部の側面形状の多様な実施形態を示した垂直断面図である。
【図７Ｂ】  本発明による突出部の側面形状の多様な実施形態を示した垂直断面図である。
【図７Ｃ】  本発明による突出部の側面形状の多様な実施形態を示した垂直断面図である。
【図７Ｄ】  本発明による突出部の側面形状の多様な実施形態を示した垂直断面図である。
【符号の説明】
１９０  光ディスク
３００  ディスクトレイ
３０１  トレイ本体
３０２  載置面
３１０  ウインドウ
３２０  突出部
３９０  光ディスクドライブ
【図１Ａ】
0004012086.tif 000002
【図１Ｂ】
0004012086.tif 000003
【図２】
0004012086.tif 000004
【図３Ａ】
0004012086.tif 000005
【図３Ｂ】
0004012086.tif 000006
【図４Ａ】
0004012086.tif 000007
【図４Ｂ】
0004012086.tif 000008
【図５】
0004012086.tif 000009
【図６Ａ】
0004012086.tif 000010
【図６Ｂ】
0004012086.tif 000011
【図６Ｃ】
0004012086.tif 000012
【図６Ｄ】
0004012086.tif 000013
【図６Ｅ】
0004012086.tif 000014
【図６Ｆ】
0004012086.tif 000015
【図６Ｇ】
0004012086.tif 000016
【図７Ａ】
0004012086.tif 000017
【図７Ｂ】
0004012086.tif 000018
【図７Ｃ】
0004012086.tif 000019
【図７Ｄ】
0004012086.tif 000020